(57)【要約】【課題】  送信装置と受信装置に時刻を保持する手段を持たずに，また受信装置数が多くなってもネットワークのトラフィックが増大することなく，デジタル音声情報を複数のメディア変換装置が存在するネットワーク上を伝送し，各受信装置で所望の時刻に音声出力が可能な音声伝送システムを提供する。【解決手段】  伝送時間測定用情報出力機能と遅延時間設定機能を持った送信装置１１と，再生出力を遅延させることができる遅延部を持った受信装置１２１〜１２４と，伝送時間測定用情報を返送する入力部と出力部を持ったメディア変換装置１３１〜１３２とを備え，音声送信装置から音声受信装置までの経路のすべてのメディア変換装置の通過時の伝送遅延を合計することにより，音声送信装置から音声受信装置までのデジタル音声情報伝送遅延を算出し，複数の音声受信装置で同時刻にの再生出力するものである。【選択図】  図１
2007329534.tif 000002
【特許請求の範囲】
【請求項１】
デジタル音声情報を音声送信装置から複数のメディア変換装置が存在するネットワークを通じて伝送し，複数の音声受信装置で受信し再生出力する音声伝送システムにおいて
前記音声送信装置にて各メディア変換装置の入力端から出力端までの伝送時間を測定するための伝送時間測定用情報を出力する出力手段と
前記メディア変換装置の入力端にて前記音声送信装置から伝送される伝送時間測定用情報を受信して返信する手段と
前記メディア変換装置の出力端にて前記音声送信装置から伝送される伝送時間測定用情報を受信して返信する手段と
前記音声送信装置が前記音声受信装置にデジタル音声情報を受信してから再生出力するまでの遅延時間を指定する手段と
前記音声受信装置が指定された前記遅延時間だけ再生出力を遅延する手段と
を具備することを特徴とする音声伝送システム。
【請求項２】
前記音声送信装置が前記複数の音声受信装置に対して，同一のデジタル音声情報をネットワークに異なる時刻に出力する手段を具備することを特徴とする請求項１記載の音声伝送システム。
【発明の詳細な説明】
【技術分野】
【０００１】
本発明は，デジタル音声情報を複数のメディア変換が存在するネットワーク上で伝送し，複数の受信装置で受信して音声出力する音声伝送システムに関するものである。
【背景技術】
【０００２】
従来の音声伝送システムは，音声送信装置内と各音声受信装置内に内蔵された時計の時刻を同期させた上で，音声受信装置は受信音声情報に含まれる出力時刻情報に合わせて，音声出力を行っている。（例えば，特許文献１参照）。
【特許文献１】特開２００５−３５４３５１号公報
【発明の開示】
【発明が解決しようとする課題】
【０００３】
しかしながら，従来の音声伝送システムにおいては，送信装置と受信装置に時刻を保持する手段を持つ必要があることと，送信装置と受信装置の時刻を同一に調整する手段を持つ必要があることと，受信装置数が多くなると送信装置と時刻を同一にするための調整動作においてネットワークのトラフィックが増大する，という問題があった。
【０００４】
本発明は，従来の問題を解決するためになされたもので，送信装置と受信装置に時刻を保持する手段を持つ必要がなく，また受信装置数が多くなってもネットワークのトラフィックが増大することなく，デジタル音声情報を複数のメディア変換装置が存在するネットワーク上を伝送し，それを複数の受信装置で受信して，各受信装置で所望の時刻に音声出力が可能な音声伝送システムを提供することを目的とする。
【課題を解決するための手段】
【０００５】
本発明の音声伝送システムは，デジタル音声情報を音声送信装置から複数のメディア変換装置が存在するネットワークを通じて伝送し，複数の音声受信装置で受信し再生出力する音声伝送システムにおいて，前記音声送信装置にて各メディア変換装置の入力端から出力端までの伝送時間を測定するための伝送時間測定用情報を出力する出力手段と，前記メディア変換装置の入力端にて前記音声送信装置から伝送される伝送時間測定用情報を受信して返信する手段と，前記メディア変換装置の出力端にて前記音声送信装置から伝送される伝送時間測定用情報を受信して返信する手段と，前記音声送信装置が前記音声受信装置にデジタル音声情報を受信してから再生出力するまでの遅延時間を指定する手段と，前記音声受信装置が指定された前記遅延時間だけ再生出力を遅延する手段を具備した構成を有している。
【０００６】
この構成により，音声送信装置からメディア変換装置入力端までの伝送時間と音声送信装置からメディア変換装置出力端までの伝送時間の差からメディア変換装置通過に要する伝送遅延を算出できるので，音声送信装置から音声受信装置までの経路のすべてのメディア変換装置の通過時の伝送遅延を合計することにより，音声送信装置から音声受信装置までのデジタル音声情報伝送遅延を算出することができる。また音声送信装置は，複数の音声受信装置にデジタル音声情報を受信してから再生出力するまでの時間を指定することにより，複数の音声受信装置での再生出力時刻を決定することができる。
【０００７】
また，本発明の音声伝送システムは，音声送信装置が前記複数の音声受信装置に対して，同一のデジタル音声情報をネットワークに異なる時刻に出力する手段を具備した構成を有している。
【０００８】
この構成により，音声送信装置は音声受信装置にデジタル音声情報を受信してから再生出力するもでの時間を指定することなしに，音声送信装置のデジタル音声情報出力時刻を変えることにより，各音声受信装置での再生出力時刻を決定することができる。
【発明の効果】
【０００９】
本発明は，デジタル音声情報を複数のメディア変換装置が存在するネットワーク上を伝送し，それを複数の受信装置で受信して，各受信装置で所望の時刻に音声出力が可能な音声伝送システムを提供することができるものである。
【発明を実施するための最良の形態】
【００１０】
以下，本発明の実施の形態の音声伝送システムについて，図面を用いて説明する。
（第１実施形態）
【００１１】
本発明の第１実施形態の音声伝送システムを図１に示す。図１において，本実施形態の音声伝送システムは，伝送時間測定用情報出力機能と遅延時間設定機能を持った送信装置１１と，再生出力を遅延させることができる遅延部１２１１〜１２４１を持った受信装置１２１〜１２４と，伝送時間測定用情報を返送する入力部１３１１，１３２１と出力部１３１２，１３２２を持ったメディア変換装置１３１，１３２と同一ネットワークセグメントの受信装置およびメディア変換装置を接続するＨＵＢ１４１，１４２とを有する。なお，メディア変換装置はＰＬＣ電力線通信モデムを想定する。
【００１２】
以上のように構成された音声伝送システムについて，図２を用いてメディア変換装置通過に要する伝送遅延時間の測定動作を，また図３を用いて送信装置から受信装置までの伝送時間算出動作を，また図４を用いて複数の受信装置で同時刻に再生出力する動作を説明する。
【００１３】
まず，図２を用いてメディア変換装置通過に要する伝送遅延時間Ｍｄの測定動作を説明する。
【００１４】
まず，Ｓ２１では送信装置１１が伝送時間測定用情報をメディア変換装置１３１の入力部１３１１宛に送信し，メディア変換装置１３１は入力部１３１１で上記伝送時間測定用情報を折り返して返送，送信装置１１は伝送時間測定用情報を送信した時刻と受信した時刻の差から，送信装置１１からメディア変換装置１３１の入力部１３１１までの伝送時間を算出する。
【００１５】
次に，Ｓ２２では送信装置１１が伝送時間測定用情報をメディア変換装置１３１の出力部１３１２宛に送信し，メディア変換装置１３１はメディア変換動作を実施した後，出力部１３１２で上記伝送時間測定用情報を折り返して返送，送信装置１１は伝送時間測定用情報を送信した時刻と受信した時刻の差から，送信装置１１からメディア変換装置１３１の出力部１３１２までの伝送時間を算出する。
【００１６】
ただしＳ２２では，メディア変換装置１３１のメディア変換動作が初回の不安定要因を含むため，算出時間は採用しない。次に，Ｓ２３でＳ２２と同様の動作をし，送信装置１１からメディア変換装置１３１の出力部１３２までの伝送時間を算出し，送信装置１１はこれを有効な時間として保持する。
【００１７】
次に，Ｓ２４ではＳ２３で得られた時間が，メディア変換装置１３１の処理遅延分布に対して許容誤差偏差内に分布可能かを判断する。Ｓ２４の判断で不可能な場合は再度Ｓ２３のステップを繰り返す。Ｓ２４の判断で可能な場合は，次のＳ２５でＳ２１で算出した送信装置１１からメディア変換装置１３１の入力部１３１１までの伝送時間と，Ｓ２４で
算出した送信装置１１からメディア変換装置１３１の出力部１３１２までの伝送時間の差からメディア変換装置１３１通過に要する伝送遅延時間Ｍｄを決定する。同様にしてメディア変換装置１３２通過に要する伝送遅延時間を決定できる。
【００１８】
次に図３を用いて送信装置から受信装置１２１〜１２４までの伝送時間決定動作を説明する。
【００１９】
まず，Ｓ３１では送信装置１１から所望の受信装置１２Ｘ（Ｘ＝１〜４以下同様とする）までの経路中にメディア変換装置が存在するかを検出する。Ｓ３１で検出した場合は，Ｓ３４にてその該当メディア変換装置通過に要する伝送遅延ＭｄをＴｄに加算して新たにＴｄとし，ふたたびＳ３１に戻る。
【００２０】
これを繰り返し，受信装置１２Ｘまでの経路中のすべてのメディア変換装置の伝送遅延Ｍｄを加算して，Ｓ３３において送信装置１１から所望の受信装置１２Ｘまでの総伝送時間Ｔｄｘが決定する。
【００２１】
次に図４を用いて複数の受信装置で同時に再生出力する動作を説明する。
【００２２】
まずＳ４１では図３により算出された送信装置１１から各受信装置１２１〜１２４までの総伝送時間Ｔｄ１〜Ｔｄ４の値の最大値Ｔｄｍａｘを決定する。Ｓ４２では，各受信装置１２１〜１２４の遅延部１２１１〜１２４１に設定する遅延時間Ｔｓ１〜Ｔｓ４をＴｓｘ＝Ｔｄｍａｘ−Ｔｄｘとして算出する。
【００２３】
次にＳ４３では，この遅延時間Ｔｓ１〜Ｔｓ４を送信装置１１から各受信装置１２１〜１２４に指示し，各受信装置１２１〜１２４はそれぞれの遅延部１２１１〜１２４１に遅延時間Ｔｓ１〜Ｔｓ４を設定する。これにより，送信装置１１からマルチキャストで同時刻に送信されたデジタル音声情報は，送信装置１１から各受信装置１２１〜１２４までの総伝送時間Ｔｄ１〜Ｔｄ４の値の最大値Ｔｄｍａｘを有する受信装置の受信時刻に同期して，すべての受信装置から同時に再生出力されることになる。
【００２４】
このような本実施形態の音声伝送システムによれば，音声送信装置からメディア変換装置入力端までの伝送時間と音声送信装置からメディア変換装置出力端までの伝送時間との差からメディア変換装置通過に要する伝送遅延を算出できるので，音声送信装置から音声受信装置までの経路のすべてのメディア変換装置の通過時の伝送遅延を合計することにより，音声送信装置から音声受信装置までのデジタル音声情報伝送遅延を算出することができる。
【００２５】
また音声送信装置は，複数の音声受信装置にデジタル音声情報を受信してから再生出力するまでの時間を指定することにより，複数の音声受信装置での再生出力時刻を決定することができる。
（第２実施形態）
次に，本発明の第２実施形態の音声伝送システムを図５に示す。
【００２６】
図５において，送信装置５１は送信オフセット時間テーブル５１１を有し，また遅延部を必ずしも必要ではない受信装置５２１〜５２４から構成される。メディア変換装置１３１〜１３２は，図1と同一である。
【００２７】
以上のように構成された音声伝送システムについて，図６を用いてその動作を説明する。
【００２８】
まず，Ｓ６１では図２及び図３と同様の手順で受信装置までの伝送時間の最大値Ｔｄｍａｘを算出する。次にＳ６２では各受信装置ｘに対応する送信オフセット時間Ｔｏｘ＝Ｔｄｍａｘ−Ｔｄｘを算出し，Ｓ６３ではこの送信オフセット時間Ｔｏｘを送信オフセットテーブル５１１に格納する。
【００２９】
Ｓ６４で送信装置はこの送信オフセット時間テーブル５１１に従い，各受信装置ｘに対して送信オフセット時間Ｔｏｘ経過後にデジタル音声情報を送信すれば，各受信装置５２１〜５２４では同時刻にデジタル音声情報を受信するので，受信装置内に遅延部がなくても同時刻に音声を再生出力することができる。
【００３０】
以上のように本実施形態の音声伝送システムによれば，送信装置に時間テーブルを設けて，この送信オフセット時間テーブル５１１に従い，送信装置が各受信装置に対して送信オフセット時間経過後にデジタル音声情報を送信することにより，受信装置内に遅延部がなくても複数の受信装置で同時刻に音声を再生出力することができる。
【００３１】
なお，以上の説明では，受信装置１２と受信装置５２の装置数が４の場合で構成した例について説明したが，装置数が増えても同様に実施可能である。
【００３２】
また，以上の説明では，メディア変換装置１３の装置数が２の場合で構成した例について説明したが，装置数が増えても同様に実施可能である。
【００３３】
また，メディア変換装置１３のＰＬＣ電力線通信モデム以外の例としては，無線ＬＡＮ，ＡＴＭ網，ＩＳＤＮも同様に適用可能である。
【産業上の利用可能性】
【００３４】
以上のように，本発明にかかる音声伝送システムは，複数の受信装置で所望の時刻に音声再生出力ができるという効果を有し，デジタル音声情報を複数のメディア変換が存在するネットワーク上を伝送し，それを複数の受信装置で受信して音声出力する音声伝送システムに有用である。
【図面の簡単な説明】
【００３５】
【図１】本発明の第１実施形態における音声伝送システムのブロック図
【図２】本発明の第１実施形態におけるメディア変換装置通過時間測定の動作説明のためのフロー図
【図３】本発明の第１実施形態における送信装置から受信装置までの伝送時間算出の動作説明のフロー図
【図４】本発明の第１実施形態における受信装置の遅延部に遅延時間を設定する動作説明のフロー図
【図５】本発明の第２実施形態における音声伝送システムのブロック図
【図６】本発明の第２実施形態における送信装置が送信オフセット時間をもとに送信する動作説明のためのフロー図
【符号の説明】
【００３６】
１１  送信装置
１２１  受信装置
１２２  受信装置
１２３  受信装置
１２４  受信装置
１２１１  遅延部
１２２１  遅延部
１２３１  遅延部
１２４１  遅延部
１３１  メディア変換装置
１３２  メディア変換装置
１３１１  入力部
１３２１  入力部
１３１２  出力部
１３２２  出力部
５１  送信装置
５１１  送信オフセット時間テーブル
５２１  受信装置
５２２  受信装置
５２３  受信装置
５２４  受信装置
【図１】
2007329534.tif 000003
【図２】
2007329534.tif 000004
【図３】
2007329534.tif 000005
【図４】
2007329534.tif 000006
【図５】
2007329534.tif 000007
【図６】
2007329534.tif 000008